(57)【要約】【課題】記録媒体の空き容量を確保しながらデータを効率的に記録再生することができる記録再生装置を提供する。【解決手段】記録再生装置は、記録媒体にデータを記録し、記録されたデータを再生し、再生後のデータを消去する記録再生消去部を備え、さらに記録媒体に記録されたデータの中から消去を行うデータを消去設定データとして設定する消去データ設定部と、消去設定データをその再生後に消去させる消去制御部とを備える。【選択図】　　図３
2004103065.tif 000002
【特許請求の範囲】
【請求項１】
記録媒体にデータを記録し、記録されたデータを再生し、再生後のデータを消去する記録再生消去部を備え、さらに記録媒体に記録されたデータの中から消去を行うデータを消去設定データとして設定する消去データ設定部と、消去設定データをその再生後に消去させる消去制御部とを備えたことを特徴とする記録再生装置。
【請求項２】
消去データ設定部は、再生後に消去させる消去設定データの消去部分を設定する消去部分設定部を有し、消去制御部は、消去設定データの再生の停止位置を検出し、検出された停止位置に基づいて、消去部分設定部で設定された消去設定データの消去部分を消去する設定部分消去部を有する請求項１に記載の記録再生装置。
【請求項３】
消去データ設定部は、消去設定データの消去を行うか否かを選択するための消去閾値を設定する消去閾値設定部をさらに備え、消去制御部は、消去設定データの再生の停止位置を検出し、検出された停止位置と消去閾値設定部で設定された消去閾値とを比較し、この比較結果に基づいて、消去部分設定部で設定された消去設定データの消去部分を消去する請求項２に記載の記録再生装置。
【請求項４】
消去制御部は、消去部分設定部における設定に基づいて、消去設定データの再生停止位置以前の部分、この再生停止位置以降の部分またはこの消去設定データの全体のいずれかを消去部分として消去する請求項２に記載の記録再生装置。
【請求項５】
消去データ設定部は、消去設定データの再生回数を設定する再生回数設定部を有し、消去制御部は、消去設定データの再生回数を検出し、検出された再生回数が、再生回数設定部で設定された再生回数に達したとき、前記消去設定データを消去する再生回数検出消去部を有する請求項１に記載の記録再生装置。
【請求項６】
消去制御部は、消去設定データが早送り再生されたとき、早送り再生されたデータ部分を検出し、このデータ部分を消去する早送りデータ検出消去部を備える請求項１に記載の記録再生装置。
【請求項７】
消去設定データが、動画データまたは音データである請求項１に記載の記録再生装置。
【発明の詳細な説明】
【０００１】
【発明の属する技術分野】
この発明は、記録再生装置に関し、特に動画などの画像データあるいは音声、音楽などの音データを記録再生する記録再生装置に関する。
【０００２】
【従来の技術】
例えば、画像データを記憶媒体に記録させ、記録した画像データを再生する画像情報処理装置等において、動画データを録画するための記録媒体として半導体記憶媒体を使用する場合、磁気テープや光ディスクを記録媒体として使用する場合に比較して録画時間が短く、記録容量に制限があるため、頻繁に空き容量の不足が発生し、録画時に記録済みのデータを消去する必要があった。
【０００３】
しかし、記録された画像データの再生処理が終了した後に、オペレータがその都度、記憶媒体に記録された画像データの消去の操作を行うのは面倒であった。また、画像データの消去の操作を行うことなく放置すれば、記録済みのデータを消去した後に録画を開始することになるため録画の開始が遅れたり、秘密保持の面からも好ましくなかった。
このような問題を解決するために、従来から記録媒体の空き容量を確保しながらデータを効率的に記録再生するためのデータの管理手法が開発されている（例えば、特許文献１および２参照）。
【０００４】
【特許文献１】特開昭５９−５０６６０号公報
【特許文献２】特開２００１−２１００１７号公報
【０００５】
特開昭５９−５０６６０号公報には、画像情報の再生処理が終了したら記憶媒体に記録させた画像情報の消去を自動的に行うことによって、情報処理に付随した操作を簡略化すると共に秘密情報の漏洩に対する安全性を高める画像情報処理方法が提案されている。
特開２００１−２１００１７号公報では、デジタル記録部の空容量が予め決められた値以下となった時、デジタル記録部に記録されている動画データの中から、一定時間以上再生済の録画データを他の録画データより優先的に消去することにより、空き容量を確保する動画データ管理方法が提案されている。
これらの方法によれば、既に再生済みで再度再生を行うことの無い不要な録画データは、ユーザーが該当データを設定しなくても自動的に消去が行われる。
【０００６】
【発明が解決しようとする課題】
前記した特開昭５９−５０６６０号公報の方式では、画像情報を保存する必要のないコピー機などの画像情報処理装置には適しているが、複数の画像データを保存して繰り返し再生を行うビデオ録画再生装置や、任意の画像データの消去が必要なビデオ録画再生装置等の画像再生装置には対応出来ないという問題があった。
【０００７】
また、特開２００１−２１００１７号公報の方式では、画像再生装置には対応可能であるが、ユーザーが繰り返し再生を行う録画データも、一度だけ再生を行う録画データも区別なく消去を行うため、繰り返し再生したいデータについても一定時間以上再生してしまうと、このデータも優先的に消去されてしまうという問題があった。
【０００８】
この発明は上記の問題点に鑑みてなされたものであり、記録媒体の空き容量を確保しながらデータを効率的に記録再生することができる記録再生装置を提供することを目的とする。
【０００９】
【課題を解決するための手段】
この発明によれば、記録媒体にデータを記録し、記録されたデータを再生し、再生後のデータを消去する記録再生消去部を備え、さらに記録媒体に記録されたデータの中から消去を行うデータを消去設定データとして設定する消去データ設定部と、消去設定データをその再生後に消去させる消去制御部とを備えたことを特徴とする記録再生装置が提供される。
【００１０】
すなわち、再生後に消去したいデータを消去設定データとして設定することにより、そのデータを自動的に消去することができるので、記録再生装置における記録時の操作性が向上し、無駄な記録領域を使用することなく、記録データの管理を効率的に行うことができる。
【００１１】
この発明における記録媒体としては、ＳＲＡＭ，ＤＲＡＭ等の半導体メモリ、ハードディスク（ＨＤＤ）、磁気テープ、フレキシブルディスク（ＦＤＤ）、ＣＤ−ＲやＣＤ−ＲＷ、ＤＶＤ、光磁気ディスク（ＭＯ）、フラッシュカードやメモリスティック等のメモリカード等が挙げられる。
この発明において記録媒体に記録されるデータとしては、映画などの動画データや音データが挙げられる。音データとしては、音声、音楽、自然界で発生する音および人工的に発生する音などのデータが挙げられる。
この発明における記録再生装置としては、上記の記録媒体を用いてデータの記録再生を行うものであれば特に限定されない。一例としては、デジタルビデオプレーヤー、パーソナルコンピュータ等が挙げられる。
【００１２】
消去データ設定部は、再生後に消去させる消去設定データの消去部分を設定する消去部分設定部を有し、消去制御部は、消去設定データの再生の停止位置を検出し、検出された停止位置に基づいて、消去部分設定部で設定された消去設定データの消去部分を消去する設定部分消去部を有するので、データの内容等に応じて任意に消去部分を設定し、これを自動的に消去することができる。
【００１３】
消去部分設定部における設定に基づいて、設定部分消去部は、例えば、消去設定データの再生停止位置以前の部分、この再生停止位置以降の部分またはこの消去設定データの全体のいずれかを消去部分として消去することができる。
例えば、再生停止位置以降のデータが保存される場合、消去を設定したデータであっても分割しての再生、消去が自動的に実行可能となる。また、再生停止位置以降のデータが消去される場合には、繰り返し再生を行うデータのうちの後方にある不要なデータを自動的に削除可能となる。また、例えば、コマーシャル付きのＴＶ番組を録画して、最後のコマーシャル前まで繰り返し再生するような場合、最後のコマーシャルを自動的に消去することができる。したがって、操作性を向上させ、効率的な動画データの記録再生が可能となる。
【００１４】
消去データ設定部は、消去設定データの消去を行うか否かを選択するための消去閾値を設定する消去閾値設定部をさらに備え、消去制御部は、消去設定データの再生の停止位置を検出し、検出された停止位置と消去閾値設定部で設定された消去閾値とを比較し、この比較結果に基づいて、消去部分設定部で設定された消去設定データの消去部分を消去することができる。
この消去閾値とは、例えば１つの消去設定データの全体量に対する再生終了部分のデータ量の比率として設定される。具体例としては、１２０分の記録再生が可能な磁気テープにおいて、全体量１２０分に対する再生時間（分）として設定される。
【００１５】
消去データ設定部は、消去設定データの再生回数を設定する再生回数設定部を有し、消去制御部は、消去設定データの再生回数を検出し、検出された再生回数が、再生回数設定部で設定された再生回数に達したとき、前記消去設定データを消去する再生回数検出消去部を有するので、任意の回数でデータを再生した後、自動的に消去を行うことができる。
【００１６】
消去制御部は、消去設定データが早送り再生されたとき、早送り再生されたデータ部分を検出し、このデータ部分を消去する早送りデータ検出消去部を備えるので、早送りデータ検出消去部を適用することにより、繰り返し再生するデータのうち、不要なデータを１度だけ早送りするだけで消去が可能となり、自動的に必要なデータだけを保存することができる。したがって、操作性が向上し、効率的な動画データ等の記録再生が可能になる。
【００１７】
【発明の実施の形態】
以下、図面を参照して、この発明の記録再生装置の実施の形態を詳細に説明する。なお、これらの実施の形態によってこの発明は限定されるものではない。
図１は、この発明の実施の一形態による記録再生装置としての録画再生装置の装置構成を示すブロック図である。
【００１８】
図１に示すように、録画再生装置１０は、制御部１、動画データ入力部２、表示制御部３ａおよびデータ圧縮伸長部３ｂを有する画像制御部３、ＬＣＤ４、データ記録媒体５、ＲＡＭ６，ＲＯＭ７、キー操作部８ならびにこれらを接続するＣＰＵバス９を備え、記録媒体にデータを記録し、記録されたデータを再生し、再生後のデータを消去する記録再生消去部を構成する。
【００１９】
制御部１は、ＣＰＵやＭＰＵで構成され、ＲＡＭ６を作業領域としてＲＯＭ７に格納されたプログラムを実行する。制御部１は録画再生装置１０における記録再生消去部を制御するための主制御部を有する。
主制御部による記録再生消去部の処理動作としては、キー操作部８からの入力操作に基づいて動画データ入力部２に入力される動画データを画像制御部３において圧縮処理を行い、データ記録メモリ５にファイルとして記録を行う。
また、キー操作部８からの入力操作に基づいてデータ記録媒体５に記録されたファイルを画像制御部３で伸長処理を行いＬＣＤ４に再生画像の表示を行う。
【００２０】
図２は、録画再生装置１０の外観の構成を示す斜視図である。
図２において、録画再生装置１０は、映像信号を取り込むための映像信号入力コネクタ２１、取り込んだ映像信号を表示するＬＣＤ２２，録画再生を指示するための録画ボタン２３、巻き戻しボタン２４、早送りボタン２５、停止ボタン２６、再生ボタン２７、メニューボタン２８、カーソルキー３０および録画再生装置１０の電源の入切を行う電源ボタン２９を備えている。
【００２１】
図３は、録画再生装置１０の制御部１の構成を示めす機能ブロック図である。制御部１は、上記した記録再生消去部を制御する主制御部１１と、記録媒体に記録されたデータの中から消去を行うデータを消去設定データとして設定する消去データ設定部１２と、消去設定データを再生後に消去させる消去制御部１３とからなる。
【００２２】
消去データ設定部１２は、再生後に消去させる消去設定データの消去部分を設定する消去部分設定部１４と、消去設定データの再生の停止位置に関する消去閾値を設定する消去閾値設定部１６と、消去設定データの再生回数を設定する再生回数設定部１８とを有する。消去データ設定部１２における上記の各設定は、キー操作部８からの入力操作に基づいて行われる。
【００２３】
消去制御部１３は、消去設定データの再生の停止位置を検出し、検出された停止位置に基づいて、消去部分設定部１２で設定された消去設定データの消去部分を消去する設定部分消去部１５と、消去設定データの再生回数を検出し、検出された再生回数が再生回数設定部１８で設定された再生回数に達したとき、前記消去設定データを消去する再生回数検出消去部１７と、消去設定データが早送り再生されたとき、早送り再生されたデータ部分を検出し、このデータ部分を消去する早送りデータ検出消去部１９とを有する。これら各部の処理動作の詳細については、それぞれの実施の形態で説明する。
【００２４】
図４は、録画再生装置１０の記録再生消去部を作動させる主制御部１１の処理内容を示すフローチャートである。
図４を参照しながら、主制御部１１の処理動作について、説明する。
【００２５】
まず、ステップＳ１において、主制御部１１はキー操作部８から入力される信号に基づいて録画ボタン２３が押されたか否かを判定する。録画ボタン２３が押されたと判定された場合には、ステップＳ４の録画処理へ移行する。録画ボタン２３が押されていないと判定された場合は、ステップＳ２に移行する。
ステップＳ２において、再生ボタン２７が押されたか否かを判定し、再生ボタン２７が押されたと判定された場合には、ステップＳ５の再生処理に移行する。再生ボタン２７が押されていないと判定された場合は、ステップＳ３に移行する。
【００２６】
次いで、ステップＳ３において、メニューボタン２８が押されたか否かを判定し、メニューボタン２８が押されたと判定された場合には、ステップＳ６の設定処理に移行する。　メニューボタン２８が押されていないと判定された場合は、ステップＳ１に移行し、前記の録画、再生、設定処理が設定されるまで前記の処理を繰り返す。
ここで、ユーザーによって録画ボタン２３が押されると、ステップＳ４の録画処理が実行される。
【００２７】
消去データ設定部１２と消去制御部１３の処理動作を中心に録画再生装置１のデータの消去動作を以下の実施の各形態において説明する。
【００２８】
［実施の形態１］
この発明の実施の形態１を、図を参照しながら説明する。
実施の形態１では、消去データ設定部１２が、記録媒体に記録されたデータの中から消去を行うデータを消去設定データとして設定し、消去制御部１３が、消去設定データをその再生が１回行われた後に消去する構成の一例を説明する。ここでは、消去設定データが「ワンタイム再生」データとして消去データ設定部１２で設定される。
なお、図５は、録画再生装置１の録画処理の内容を示すフローチャート、図６は再生モード選択画面の表示例、図７は録画データのフォーマットを示す図、図８は録画データのヘッダー部の詳細を示す図、図９は再生処理の内容を示すフローチャートである。
以下、図５〜９を参照しながら、上記の「ワンタイム再生」設定時の動作について説明する。
【００２９】
まず、録画再生装置１の録画処理の動作について、図５のフローチャートを参照しながら説明する。
図４のフローチャートを用いて説明したように録画処理が実行されると、ステップＳ１１において、主制御部１１は、動画データ入力部２から入力される映像データを画像制御部３を介して圧縮データにしデータ記録メモリ５に順次記録する。
ステップＳ１２において、主制御部１１はキー操作部８から入力される信号に基づいて停止ボタン２６が押されたか否かを判定し、停止ボタン２６が押されたと判定されるまで録画処理ステップＳ１１を繰り返す。停止ボタン２６が押されたと判定された場合は、ステップＳ１３に移行する。
【００３０】
ステップＳ１３において、消去制御部１３は、画像制御部３を介して再生モード選択画面の画像データを作成し、ＬＣＤ４に出力する。
ＬＣＤ４に表示される再生モード選択画面の表示例を図６に示す。
ここでは、ユーザーが録画データの再生時の動作モードである「ワンタイム再生」または「繰り返し再生」のいずれかをカーソルキー３０の操作により選択する。
「ワンタイム再生」とは、前記したように、再生が１回行われた後に消去する消去設定データの設定であり、「繰り返し再生」とは、再生が何回行われても消去が設定されないデータの設定である。
【００３１】
次いで、ステップＳ１４において、消去制御部１３はキー操作部８から入力される信号に基づいてユーザーの選択した再生モードを判定し、「ワンタイム再生」が選択された場合は、データ記録メモリ５に記録された録画データのヘッダー部にワンタイム再生を示すワンタイムフラグを付加する。
図７は録画データの構成を示す。
録画データは図７に示すように、ＳＯＦ（Ｓｔａｒｔ　Ｏｆ　Ｆｌａｍｅ）、ヘッダー、画像データ、音声データ、ＥＯＦ（Ｅｎｄ　Ｏｆ　Ｆｌａｍｅ）から構成される。上記ヘッダーは、図８に示すように、録画データに関する付属データ群で構成され、ワンタイムフラグはこのヘッダーに含まれる設定データである。
【００３２】
次に、図９を参照しながら、録画再生装置１の再生処理を説明する。
まず、ステップＳ２１において、主制御部１１は、データ記録メモリ５に記録、圧縮された録画データを画像制御部３を介して順次伸長してＬＣＤ４に出力する。
記録されたデータの再生が終了すると、ステップＳ２２において、消去制御部１３は、上記で再生した録画データの再生モードを判定し、ヘッダー部のワンタイムフラグが設定されておれば、ステップＳ２３において録画データの消去を行う。なお、実施の形態１における再生の停止位置は、再生対象となった録画データの全体が再生されたときである。
一方、「繰り返し再生」が選択された場合は、録画データの消去を行わずに再生処理を終了する。
【００３３】
このように、消去制御部１３により、ニュース番組の録画などのように１回きりの再生しか行わない録画データに対して、録画時に予めワンタイム再生を指示しておくことにより、設定した録画データの再生終了時に自動的に消去が可能であり、記録容量を有効に使用した録画再生が可能になる。
【００３４】
なお、実施の形態１では、録画終了時にワンタイム再生の設定を行うようにしているが、録画データを保存後、通常状態においてメニューボタン２８を操作することによってワンタイム再生を設定し解除できるような処理とすることも可能である。
また、この実施の形態では、動画データを扱う動画再生装置について説明しているが、音声、音楽データを扱う録音再生装置にもこの発明を適用可能である。
【００３５】
［実施の形態２］
この発明の実施の形態２を図１０〜１４を参照しながら説明する。
実施の形態２では、再生回数設定部１８が、消去設定データの再生回数を設定し、再生回数検出消去部１７が、消去設定データの再生回数を検出し、検出された再生回数が、再生回数設定部で設定された再生回数に達したとき、前記消去設定データを消去する構成の一例を説明する。
【００３６】
なお、図１０は、実施の形態２における録画処理の内容を示すフローチャート、図１１は再生モード選択画面の表示例、図１２は再生回数設定画面の表示例、図１３は録画データのヘッダー部の詳細を示す図、図１４は再生処理の内容を示すフローチャートである。
以下、図１０〜１４を参照しながら、再生後消去が設定された場合の動作について説明する。
【００３７】
図１０を参照しながら、録画処理を説明する。
まず、ステップＳ３１において、主制御部１は、動画データ入力部２から入力される映像データを画像制御部３を介して圧縮データにし、データ記録メモリ５に順次記録する。
ステップＳ３２において、主制御部１はキー操作部８から入力される信号に基づいて停止ボタン２６が押されたか否かを判定し、停止ボタン２６が押されたと判定されるまで録画処理ステップＳ３１を繰り返す。停止ボタン２６が押されたと判定された場合は、ステップＳ３３に移行する。
【００３８】
ステップＳ３３において、主制御部１は、画像制御部３を介して、再生モード選択画面の画像データを作成し、ＬＣＤ４に出力する。
ＬＣＤ４に表示される再生モード選択画面の表示の一例を図１１、図１２に示す。ここでは、ユーザーが録画データの再生時の動作モードをカーソルキー３０からの入力操作に基づいて選択する。
ステップＳ３４において、消去制御部１３はキー操作部８から入力される信号に基づいてユーザーの選択した再生モードを判定し、再生後の消去が選択された場合は、データ記録メモリ５に記録された録画データのヘッダー部に再生後消去を示す消去フラグを付加し、ステップ３６に移行する。
【００３９】
ステップＳ３６において、再生回数設定部１４はキー操作部８から入力される信号に基づいてユーザーの設定した再生回数を、データ記録メモリ５に記録された録画データのヘッダー部の再生回数に記録する。
録画データのヘッダー部は、図１３に示すように、録画データに関する付属データ群で構成され、消去フラグ、再生回数はこのヘッダーに含まれる設定データである。
【００４０】
図１４は、上記のように設定された再生モード等に基づく再生処理を説明するフローチャートである。
ステップＳ４１において、主制御部１は、データ記録メモリ５に記録された圧縮録画データを画像制御部３を介して順次伸長し、ＬＣＤ４に出力する。
記録されたデータの再生が終了すると、ステップＳ４２において、消去制御部１３は、上記で再生した録画データの再生モードを判定し、ヘッダー部の消去フラグが設定されていなければ再生処理を終了し、消去フラグが設定されていればステップ４３に移行し、再生回数から１を減算しヘッダー情報を記録し直した後、ステップ４４に移行する。
ステップ４４では、残りの再生回数のチェックを行い、再生回数が“０”であればステップ４５に移行して録画データの消去を行う。
【００４１】
上記のように、予め再生回数を設定しておくことにより、設定された回数の再生が終了すると自動的に消去が可能であり、記録容量を有効に使用可能な録画再生装置が提供される。
なお、この実施の形態では、録画終了時に再生モード、再生回数の設定を行うようにしているが、録画データを保存後、通常状態においてメニューボタン２８を操作して、再生モード、再生回数を設定、解除できるような処理とすることも可能である。
【００４２】
［実施の形態３］
図１５〜１８を参照しながら、この発明の実施の形態３を説明する。
実施の形態３では、消去部分設定部１４が、再生後に消去させる消去設定データの消去部分を設定し、設定部分消去部１５が、消去設定データの再生の停止位置を検出し、検出された停止位置に基づいて、消去部分設定部で設定された消去設定データの消去部分を消去する構成の一例を説明する。
この例では、検出された消去設定データの再生の停止位置に基づいて、前記消去設定データの再生終了部分、この再生終了部分以降の未再生部分またはこの消去設定データの全体のいずれかを消去するよう消去モードが消去部分設定部１４で設定される。
【００４３】
図１５は、この発明の実施の形態３における録画処理の内容を示すフローチャート、図１６は消去モード選択画面の表示例、図１７は録画データのヘッダー部の詳細を示す図、図１８は再生処理の内容を示すフローチャートである。
以下、図１５〜１８に従って前記の「ワンタイム再生」が設定され、再生動作中に停止ボタン２６によって再生動作が中断された場合の動作について説明する。図１５を参照しながら、録画処理を説明する。
ステップＳ５１において、主制御部１１は、動画データ入力部２から入力される映像データを画像制御部３を介して、圧縮データとしてデータ記録メモリ５に順次記録する。
【００４４】
ステップＳ５２において、主制御部１１はキー操作部８から入力される信号に基づいて停止ボタン２６が押されたか否かを判定し、停止ボタン２６が押されたと判定されるまで録画処理ステップＳ５１を繰り返す。停止ボタン２６が押されたと判定された場合は、ステップＳ５３に移行する。
ステップＳ５３において、主制御部１１は、画像制御部３を介して再生モード及び消去モード選択画面の画像データを作成し、ＬＣＤ４に出力する。
ＬＣＤ４に表示される再生モード選択画面の表示例を図６に、消去モード選択画面の表示例を図１６にそれぞれ示す。ここでは、ユーザーが録画データの再生時の動作モート゛と停止ボタン２６が押された時の消去モート゛をカーソルキー３０からの入力操作に基づいて選択する。
【００４５】
ステップＳ５４において、消去制御部１３はキー操作部８から入力される信号に基づいてユーザーの選択した再生モードを判定し、前記した「ワンタイム再生」が選択された場合は、ステップＳ５５においてデータ記録メモリ５に記録された録画データのヘッダー部にワンタイム再生を示すワンタイムフラグを付加し、ステップＳ５６に移行する。
ステップＳ５６において、消去制御部１３はキー操作部８から入力される信号に基づいてユーザーの選択した再生中断時の消去モードを、データ記録メモリ５に記録された録画データのヘッダー部の消去モードに記録する。
【００４６】
録画データのヘッダー部は、図１７に示すように、録画データに関する付属データ群で構成され、ワンタイムフラグ、消去モードはこのヘッダーに含まれる設定データである。消去モードは、停止位置以降のデータを消去する場合はモード１、停止位置以前のデータが消去される場合はモード２がセットされる。
【００４７】
図１８は、上記のように設定された再生モード等に基づく再生処理を説明するフローチャートである。
ステップＳ６１において、主制御部１１は、データ記録メモリ５に記録された圧縮録画データを画像制御部３を介して順次伸長してＬＣＤ４に出力する。設定部分消去部１５は記録されたデータの再生が終了するか、再生途中で停止ボタン２６が押されたことを検出するとステップＳ６２に移行する。
ステップＳ６２において、設定部分消去部１５は上記で再生した録画データの再生モードを判定し、ヘッダー部のワンタイムフラグが設定されていなければ再生処理を終了し、ワンタイムフラグが設定されていればステップＳ６３に移行し、再生処理の終了が停止ボタン２６による中断であるか、正常終了であるかを判定する。
【００４８】
ステップＳ６３において、正常終了と判断された場合はステップＳ６４において録画データの消去を行う。停止ボタン２６による中断と判断された場合は、ステップＳ６５に移行し、再生が終了された位置を検出し、ステップＳ６６に移行して消去モードを判定する。ステップＳ６６においてモード１が設定されていた場合には、ステップＳ６９に移行して再生停止位置以降の録画データを削除し、ステップＳ７０において削除後の録画データに対応するようにヘッダー情報の書替えを行う。
一方、ステップＳ６６において、モード２が設定されていた場合は、ステップＳ６７において停止位置以前の録画データを削除し、ステップ６８において削除後の録画データに対応するようにヘッダー情報の書換えを行う。
【００４９】
このように、１回きりの再生しか行わない録画データの再生途中で再生が中断された場合に、録画データを全て消去しないで、再生済みの録画データのみを消去するか、未再生のデータを消去するかを任意に選択可能であり、記録容量を有効に使用可能な録画再生装置が提供される。
【００５０】
［実施の形態４］
この発明の実施の形態４を、図１９を参照しながら説明する。
実施の形態４では、消去閾値設定部１６が、消去設定データの消去を行うか否かを選択するための消去閾値を設定し、消去制御部１３が、消去設定データの再生の停止位置を検出し、検出された停止位置と消去閾値設定部で設定された消去閾値とを比較し、この比較結果に基づいて、消去部分設定部で設定された消去設定データの消去部分を消去する構成の一例を説明する。
この例では、検出された消去設定データの再生の停止位置に基づいて、その消去設定データの全体量に対する再生終了部分のデータ量の比率を算出し、次いでこの算出結果を予め設定された消去閾値と比較し、この比較結果に応じて、消去設定データの全体を消去するかまたは消去設定データの消去を行わないかのいずれかを選択する。
【００５１】
図１９は、この発明の実施の形態４における再生処理の内容を示すフローチャートである。
以下に、再生後の消去が設定され、かつ再生動作中に停止ボタン２６によって再生動作が中断された場合の動作について図１９を参照しながら説明する。
なお、録画処理、録画データのフォーマット、ヘッダー情報については、実施の形態１において説明した構成と同じであり、それぞれ図５、図７、図８に示す。
【００５２】
ステップＳ８１において、主制御部１１は、データ記録メモリ５に記録された圧縮録画データを画像制御部３を介して順次伸長し、ＬＣＤ４に出力する。
主制御部１１は記録されたデータの再生が終了するか、再生途中で停止ボタン２６が押されたことを検出すると、ステップＳ８２に移行する。
ステップＳ８２において、主制御部１１は上記で再生した録画データの再生モードを判定し、ヘッダー部のワンタイムフラグが設定されていなければ再生処理を終了し、ワンタイムフラグが設定されていればステップＳ８３に移行し、再生処理の終了が停止ボタン２６による中断であるか、正常終了であるかを判定する。
【００５３】
ステップＳ８３において、正常終了と判断された場合は、ステップＳ８４において録画データの消去を行う。停止ボタン２６による中断と判断された場合は、ステップＳ８５において停止位置を検出する。
次いで、ステップＳ８６において、録画データの再生設定全時間に対する再生済みの時間の比較を行う。ステップＳ８６において、予め設定された比率以上の再生が終了していた場合には、ステップＳ８４に移行し録画データの消去を行う。再生済み時間が予め設定された比率以下しか再生されていない場合は、録画データは消去しないで再生処理を終了する。設定比率については、予めシステム固有の値を設定してもよいし、メニュー画面においてユーザーが設定するようにしてもよい。
【００５４】
このように、消去設定データであって、ある程度再生したデータを自動的に削除することができるので、１回きりの再生しか行わない録画データの再生途中で再生が中断された場合に、設定時間以上再生済みの場合にのみ録画データを消去可能になる。
【００５５】
［実施の形態５］
図２０を参照しながら、この発明の実施の形態５を説明する。
実施の形態５では、実施の形態４で示したように、消去閾値設定部１６が、消去設定データの再生の停止位置に関する消去閾値を設定するとともに、実施の形態３で示したように、消去部分設定部１４が、再生後に消去させる消去設定データの消去部分を設定し、設定部分消去部１５が、消去設定データの再生の停止位置を検出し、検出された停止位置と消去閾値設定部１４で設定された消去閾値とを比較し、この比較結果に基づいて、消去部分設定部１４で設定された消去設定データの消去部分を消去する構成の一例を説明する。
この例では、検出された消去設定データの再生の停止位置に基づいて、前記消去設定データの再生終了部分、この再生終了部分以降の未再生部分またはこの消去設定データの全体のいずれかを消去するよう消去モードが消去部分設定部１４で設定される。
【００５６】
図２０は、この発明の実施の形態５における再生処理の内容を示すフローチャートである。
以下、図２０に従って前記した「ワンタイム再生」が設定されており、再生動作中に停止ボタン２６によって再生動作が中断された場合の動作について説明する。
なお、録画処理、録画データのフォーマット、ヘッダー情報については、実施の形態１において説明した構成と同じであり、それぞれ図１５、図７、図１７に示す。
【００５７】
まず、ステップＳ９１において、主制御部１１は、データ記録メモリ５に記録された圧縮録画データを画像制御部３を介して順次伸長し、ＬＣＤ４に出力する。ＣＰＵ１は記録されたデータの再生が終了するか、再生途中で停止ボタン２６が押されたことを検出すると、ステップＳ９２に移行する。
ステップＳ９２において、主制御部１１は上記で再生した録画データの再生モードを判定し、ヘッダー部のワンタイムフラグが設定されていなければ再生処理を終了し、ワンタイムフラグが設定されていればステップＳ９３に移行し、再生処理の終了が停止ボタン２６による中断であるか、正常終了であるかを判定する。
【００５８】
次いで、ステップＳ９３において、正常終了と判断された場合は、ステップＳ９４において録画データの消去を行う。停止ボタン２６による中断と判断された場合は、ステップＳ９５において停止位置を検出する。
次いで、ステップＳ９６において、録画データの再生設定全時間に対する再生済みの時間の比較を行い、あらかじめ設定された比率以上の再生が終了していた場合はステップＳ９７に移行し、消去モードの判定を行う。再生済み時間が予め設定された比率以下しか再生されていない場合は、録画データを消去しないで再生処理を終了する。
設定比率については、予めシステム固有の値を設定してもよいし、メニュー画面においてユーザーが設定するようにしてもよい。
【００５９】
ステップ９７において、消去モードを判定し、モード１が設定されていた場合は、ステップＳ１００に移行し、再生の停止位置以降の録画データを削除し、ステップＳ１０１において削除後の録画データに対応するようにヘッダー情報の書替えを行う。
ステップＳ９７において、モード２が設定されていた場合は、ステップＳ９８において停止位置以前の録画データを削除し、ステップ９９において削除後の録画データに対応するようにヘッダー情報の書換えを行う。
【００６０】
このように、１回きりの再生しか行わない録画データの再生途中で再生が中断された場合に、設定時間以上再生済みの場合に設定された消去モードにより、録画データを全て消去しないで、再生済みの録画データのみを消去するか、未再生のデータを消去するかを任意に選択可能となり、記録容量を有効に使用可能な録画再生装置が提供される。
【００６１】
［実施の形態６］
この発明の実施の形態６を図２１〜２４を参照しながら説明する。
実施の形態６では、早送りデータ検出消去部１９が、消去設定データが早送り再生されたとき、早送り再生されたデータ部分を検出し、このデータ部分を消去する構成の一例を説明する。
【００６２】
図２１はこの発明の実施の形態６における録画処理の内容を示すフローチャート、図２２は再生モード選択画面の表示例、図２３は録画データのヘッダー部の詳細を示す図、図２４は再生処理の内容を示すフローチャートを示す図である。以下、図２１〜２４に従って再生後消去が設定された場合の動作について説明する。
【００６３】
図２１を参照しながら、録画処理を説明する。
まず、ステップＳ１１１において、主制御部１１は、動画データ入力部２から入力される映像データを画像制御部３を介して圧縮データにしデータ記録メモリ５に順次記録する。
ステップＳ１１２において、主制御部１１はキー操作部８から入力される信号に基づいて停止ボタン２６が押されたか否かを判定し、停止ボタン２６が押されたと判定されるまで録画処理ステップＳ１１１を繰り返す。停止ボタン２６が押されたと判定された場合は、ステップＳ１１３に移行する。
【００６４】
次いで、ステップＳ１１３において、主制御部１１は、画像制御部３を介して再生モード選択画面の画像データを作成し、ＬＣＤ４に出力する。
ＬＣＤ４に表示される再生モード選択画面の表示例を図２２に示す。　ここでは、ユーザーが録画データの再生時の動作モードをカーソルキー３０によって選択する。
ステップＳ１１４において、主制御部１１はキー操作部８から入力される信号に基づいてユーザーの選択した再生モードを判定し、「早送り消去する」が選択された場合は、データ記録メモリ５に記録された録画データのヘッダー部に早送り消去を示す早送り消去フラグを付加し、録画処理を終了する。
【００６５】
録画データのヘッダー部は、図２３に示すように、録画データに関する付属データ群で構成され、早送り消去フラグはこのヘッダーに含まれる設定情報である。
【００６６】
図２４は、再生処理を説明するフローチャートである。
ステップＳ１２１において、主制御部１１はデータ記録メモリ５に記録された圧縮録画データを画像制御部３を介して順次伸長し、ＬＣＤ４に出力する。
記録されたデータの再生が終了すると、ステップＳ１２２において、消去制御部１３は、上記で再生した録画データの再生モードを判定し、ヘッダー部の早送り消去フラグが設定されていなければ再生処理を終了し、早送り消去フラグが設定されていればステップＳ１２３に移行し、再生処理時に早送りが発生したか否かを確認する。
【００６７】
早送り再生が発生した場合は、ステップＳ１２４において早送り再生の停止位置を検出し、ステップＳ１２５において早送り分の録画データを削除し、ステップＳ１２６において削除後の録画データに対応するようにヘッダー情報の書換えを行う。
このように、録画データであるが再生の必要がないために早送りされたデータは、次回再生時にはその部分のデータのみが削除されるので、操作性が向上すると共に、記録容量を有効に使用可能な録画再生装置が提供される。
【００６８】
上記したように、実施の形態１〜６では、記録媒体の空き容量を確保しながらデータを効率的に記録再生することができる記録再生装置１０を提供できる。
【００６９】
【発明の効果】
この発明では、再生後に消去したいデータを消去設定データとして設定することにより、そのデータを自動的に消去することができるので、記録再生装置における記録時の操作性が向上し、無駄な記録領域を使用することなく、記録データの管理を効率的に行うことができる。
また、１度しか再生しない録画データに予め設定を行うことで再生終了時に自動的に録画データの消去を行うので、操作性を向上させ、無駄な記録領域を使用することなく、効率的な動画データの記録および再生が可能になる。
【００７０】
消去部分設定部および設定部分消去部により、再生停止位置以降のデータだけを保存できるので、消去を設定したデータであっても分割しての再生、消去が自動的に実行可能であり、操作性を向上させ、効率的な記録再生が可能となる。
また、消去部分設定部および設定部分消去部により、再生停止位置以降のデータが消去されるので、繰り返し再生を行うデータのうち、後方の不要なデータを自動的に削除可能であり、操作性を向上させ、効率的な記録再生が可能となる。
【００７１】
消去閾値設定部および消去制御部により、例えば、再生停止位置の再生済みデータの比率を算出して停止位置以降のデータを消去することができるので、例えば、コマーシャル付きのＴＶ番組を録画して、最後のコマーシャル前まで繰り返し再生するような場合、最後のコマーシャルが自動的に消去されるため、操作性を向上させ、効率的な動画データの記録再生が可能になる。また、消去設定データをある程度再生した時点で自動的に削除できるので、操作性を向上させ、効率的な動画データの記録再生が可能となる。
【００７２】
再生回数設定部および再生回数検出消去部により、自動的に消去を行う再生回数を任意に設定できるので、操作性を向上させ、より自由度が高い効率的な記録再生が可能になる。
早送りデータ検出消去部により、繰り返し再生するデータのうち不要なデータを１度だけ早送りするだけで消去が可能となり、自動的に必要なデータだけが保存されるので、操作性が向上し、効率的な記録再生が可能となる。
【図面の簡単な説明】
【図１】この発明の実施の形態１〜５における動画データ記録再生装置の概略構成を示すブロック図である。
【図２】図１の記録再生装置の外観の構成を示す図である。
【図３】図１の記録再生装置の外観の構成を示す図である。
【図４】図１の記録再生装置の動作を示すフローチャートである。
【図５】この発明の実施の形態１における記録再生装置の録画時の動作を示すフローチャート図である。
【図６】この発明の実施の形態１における再生モードを設定するための表示画面の一例を示す図である。
【図７】この発明の実施の形態１〜５における録画データのフォーマットの一例を示す図である。
【図８】この発明の実施の形態１におけるヘッダー情報の詳細を示す図である。
【図９】この発明の実施の形態１における記録再生装置の再生時の動作を示すフローチャート図である。
【図１０】この発明の実施の形態２における記録再生装置の録画時の動作を示すフローチャート図である。
【図１１】この発明の実施の形態２における再生モードを設定するための表示画面の一例を示す図である。
【図１２】この発明の実施の形態２における再生回数を設定するための表示画面の一例を示す図である。
【図１３】この発明の実施の形態２におけるヘッダー情報の詳細を示す図である。
【図１４】この発明の実施の形態２における記録再生装置の再生時の動作を示すフローチャート図である。
【図１５】この発明の実施の形態３における記録再生装置の録画時の動作を示すフローチャート図である。
【図１６】この発明の実施の形態３における消去モードを設定するための表示画面の一例を示す図である。
【図１７】この発明の実施の形態３におけるヘッダー情報の詳細を示す図である。
【図１８】この発明の実施の形態３における記録再生装置の再生時の動作を示すフローチャート図である。
【図１９】この発明の実施の形態４における記録再生装置の再生時の動作を示すフローチャート図である。
【図２０】この発明の実施の形態５における記録再生装置の再生時の動作を示すフローチャート図である。
【図２１】この発明の実施の形態６における記録再生装置の録画時の動作を示すフローチャート図である。
【図２２】この発明の実施の形態６における再生モードを設定するための表示画面の一例を示す図である。
【図２３】この発明の実施の形態６におけるヘッダー情報の詳細を示す図である。
【図２４】この発明の実施の形態６における記録再生装置の再生時の動作を示すフローチャート図である。
【符号の説明】
１　　制御部
２　　動画データ入力部
３　　画像制御部
３ａ　表示制御部
３ｂ　データ圧縮伸長部
４　　ＬＣＤ
５　　データ記録記憶媒体
６　　ＲＡＭ
７　　ＲＯＭ
８　　キー操作部
９　　ＣＰＵバス
１０　　録画再生装置
１１　　主制御部
１２　　消去データ設定部
１３　　消去制御部
１４　　再生モード設定部
１５　　部分選択消去部
１６　　再生回数設定部
１７　　再生回数検出消去部
１９　　早送りデータ検出消去部
【図１】
2004103065.tif 000003
【図２】
2004103065.tif 000004
【図３】
2004103065.tif 000005
【図４】
2004103065.tif 000006
【図５】
2004103065.tif 000007
【図６】
2004103065.tif 000008
【図７】
2004103065.tif 000009
【図８】
2004103065.tif 000010
【図９】
2004103065.tif 000011
【図１０】
2004103065.tif 000012
【図１１】
2004103065.tif 000013
【図１２】
2004103065.tif 000014
【図１３】
2004103065.tif 000015
【図１４】
2004103065.tif 000016
【図１５】
2004103065.tif 000017
【図１６】
2004103065.tif 000018
【図１７】
2004103065.tif 000019
【図１８】
2004103065.tif 000020
【図１９】
2004103065.tif 000021
【図２０】
2004103065.tif 000022
【図２１】
2004103065.tif 000023
【図２２】
2004103065.tif 000024
【図２３】
2004103065.tif 000025
【図２４】
2004103065.tif 000026